(57)【要約】【課題】背表紙の外側にホルダの一部が露出することのないファイルを得ること。【解決手段】表側及び裏側の表紙１，２並びにこれらの表紙の間に位置する背表紙３を備え、前記背表紙３の内面側には、複数のシート４，４を保持するホルダ５を有するファイルＦにおいて、前記ホルダ５は、前記シート４，４を保持する輪型の綴じ具６と、綴じ具６を着脱可能に保持するとともに前記背表紙３の内面側に固着される綴じ具保持体７とを備え、前記綴じ具保持体７は、中央に突出部７ａを、左右側部には固着面部７ｂ，７ｂを、それぞれ備え、前記突出部７ａには、前記綴じ具６を着脱可能に保持するための複数の切欠き７１，７１が形成されているファイルである。【選択図】　　　　図１
2004042582.tif 000002
【特許請求の範囲】
【請求項１】
表側及び裏側の表紙並びにこれらの表紙の間に位置する背表紙を備え、前記背表紙の内面側には、複数のシートを保持するホルダを有するファイルにおいて、前記ホルダは、前記シートを保持する輪型の綴じ具と、前記綴じ具を着脱可能に保持するとともに前記背表紙の内面側に固着される綴じ具保持体とを備え、
前記綴じ具保持体は、中央に突出部を、左右側部には固着面部を、それぞれ備え、前記突出部には、前記綴じ具を着脱可能に保持するための複数の切欠きが形成されていることを特徴とするファイル。
【請求項２】
前記綴じ具保持体は、前記背表紙の横幅よりも大きい横幅を備えた長方形の板材を、その中央部が突出するように折曲げて形成され、前記中央の突出部が断面山形を呈して、当該綴じ具保持体の横幅が、前記背表紙の横幅以下であることを特徴とする請求項１記載のファイル。
【請求項３】
前記綴じ具保持体は、前記中央の突出部の先端に前記複数の切欠きが形成されていることを特徴とする請求項２記載のファイル。
【発明の詳細な説明】
【０００１】
【発明の属する技術分野】
本発明は、表裏の表紙と背表紙を備え、その背表紙の内面側にシート保持用のホルダを有するファイルに関し、より詳細には、ホルダを改良して、シートの着脱が容易にできて使い勝手がよく、しかもファイルの背表紙の外側にホルダの一部が突出するようなことのない、簡易にして安価なファイルに関するものである。
【０００２】
【従来の技術】
従来より、表側及び裏側の表紙並びにこれらの表紙の間に位置する背表紙を備えて、前記背表紙の内面側には、複数のシートを保持するホルダを有するファイルが知られている。
【０００３】
この種のファイルにおいて、シートには紙、プラスチック単体シート、袋状のプラスチックシートで紙を内部に挿入するもの等の適宜のものが用いられており、これらは一般的に背表紙の内面側に装着されているホルダに保持される。
【０００４】
ホルダは、主として、バネ圧を利用してシートを圧縮して綴じるもの、シートに綴じ穴を形成してこれを二分割リング状の開閉綴じ具で保持するもの等が用いられている。
【０００５】
【発明が解決しようとする課題】
近時、シートの着脱が容易にできて使い勝手がよく、簡易にして安価なファイルが提案されている。
【０００６】
一例として、図１１及び図１２に示すファイルを上げることができる。このファイル５０は、表側及び裏側の表紙５１，５２並びにこれらの表紙の間に位置する背表紙５３を備えて、複数のシートを保持するホルダ５４を有するファイルであって、複数の輪型の綴じ具５５，５５を用いる一方で、背表紙５３に綴じ具保持用の切欠き５３ａを形成して、この切欠き５３ａに綴じ具５５を係止させ、他方で、複数のシート５６，５６を前記綴じ具５５で保持するものである。
【０００７】
すなわち、シート５６，５６を保持するホルダ５４は、ファイル５０の背表紙５３を利用し、これに形成した綴じ具保持用の切欠き５３ａに、輪型の綴じ具５５を装着して構成されるものである。
【０００８】
このようなファイルのホルダは、前記従来のバネ圧を利用してシートを圧縮して綴じるものや、シートに綴じ穴を形成してこれを二分割リング状の開閉綴じ具で保持するもの等に比べて、シートの着脱が容易にできて使い勝手がよく、簡易にして安価に形成できる利点を有する。
【０００９】
ところが、上記ファイルは、ファイル５０の背表紙５３に綴じ具保持用の切欠き５３ａを設けて、この切欠き５３ａに輪型の綴じ具５５，５５を係止するものであるため、図１２に示すように、背表紙５３の外側に綴じ具５５，５５の一部が露出する。
【００１０】
背表紙５３の外側に綴じ具５５，５５の一部が露出すると、ファイル５０の背表紙５３にタイトルシールを付着することが困難になったり、また、タイトルを背表紙に記載しようとすると綴じ具が邪魔になる等、意外と使い勝手が良くないという問題点があった。
【００１１】
本発明は、上記事情に鑑みてなされたもので、シートの着脱が容易にできて使い勝手がよく、簡易にして安価な上記構造のファイルを踏襲し、このファイルのホルダを改良して、ファイルの背表紙の外側にホルダの一部が露出するようなことのないファイルを提供することを目的としている。
【００１２】
【課題を解決するための手段】
本願の請求項１記載の発明は、図面に用いた符号を付して記すと、表側及び裏側の表紙１，２並びにこれらの表紙の間に位置する背表紙３を備え、前記背表紙３の内面側には、複数のシート４，４を保持するホルダ５を有するファイルＦにおいて、前記ホルダ５は、前記シート４，４を保持する輪型の綴じ具６と、綴じ具６を着脱可能に保持するとともに前記背表紙３の内面側に固着される綴じ具保持体７とを備え、前記綴じ具保持体７は、中央に突出部７ａを、左右側部には固着面部７ｂ，７ｂを、それぞれ備え、前記突出部７ａには、前記綴じ具６を着脱可能に保持するための複数の切欠き７１，７１が形成されているファイルである。
【００１３】
つまり、シートは、輪型の綴じ具に保持され、また、輪型の綴じ具は、背表紙とは別の綴じ具保持体に保持され、そして、綴じ具保持体は、背表紙の内面側において固着される。
【００１４】
このような構成によると、輪型の綴じ具は、背表紙の内側に位置することとなるので、ファイルの背表紙の外側にホルダの一部が露出するようなことはない。
【００１５】
従って、本発明のファイルによれば、シートの着脱が容易にできて使い勝手がよく、簡易にして安価な構造のファイルが得られるとともに、背表紙の外側に綴じ具が露出しないので、ファイルの背表紙にタイトルシールを付着することが困難な事態が回避され、また、タイトルを背表紙に記載しようとすると綴じ具が邪魔になるといった不都合も回避することができる。
【００１６】
本願の請求項２記載の発明は、請求項１の発明において、前記綴じ具保持体７は、前記背表紙３の横幅Ｗよりも大きい横幅Ｔを備えた長方形の板材を、その中央部が突出するように折曲げて形成され、前記中央の突出部７ａが断面山形を呈して、当該綴じ具保持体の横幅ｔが、前記背表紙３の横幅Ｗ以下である構成のファイルである。
【００１７】
このような構成によると、綴じ具保持体は、基本的には長方形の板材を用いて形成されるので、前述したこの種従来のファイルに綴じ具保持体を別途用いても、ファイルを簡易且つ安価に形成することができる。
【００１８】
また、綴じ具保持体の具体的な構造は、前記背表紙の横幅よりも大きい横幅を備えた長方形の板材を、その中央部が突出するように折曲げて形成され、前記中央の突出部が断面山形を呈して、当該綴じ具保持体の横幅が、前記背表紙の横幅以下となるように設けられている。
【００１９】
本願の請求項３記載の発明は、請求項２の発明において、前記綴じ具保持体７は、前記中央の突出部７ａの先端に前記複数の切欠き７１，７１が形成されているファイルである。
【００２０】
このように、前記綴じ具保持体は、輪型の綴じ具を保持する切欠きが、突出部の先端に形成されているので、綴じ具保持体による輪型の綴じ具の保持が突出部の先端で行われることとなって、両者の係合関係が合理的なものとなり、綴じ具保持体に対する綴じ具の着脱が容易になされ得る。
【００２１】
【発明の実施の形態】
以下に、本発明の具体例を図面に基いて詳細に説明する。
【００２２】
図１及び図２に示す本例のファイルＦは、表側及び裏側の表紙１，２並びにこれらの表紙の間に位置する背表紙３を備え、前記背表紙３の内面側には、複数のシート４，４を保持するホルダ５を有するファイルである。
【００２３】
前記ホルダ５は、シート４，４を保持する輪型の綴じ具６，６と、背表紙３の内面側に固着される綴じ具保持体７とを備えて構成されている。
【００２４】
この綴じ具保持体７は、綴じ具６，６を着脱可能に保持するものであって、中央に突出部７ａを、左右側部には固着面部７ｂ，７，を、それぞれ備え、前記突出部７ａには、綴じ具６を着脱可能に保持するための複数の切欠き７１，７１が形成されている。
【００２５】
本例の綴じ具６は輪型を呈しており、円板体６ａの外周に鍔部６ｂを一体形成している。この綴じ具６の形状に対応して、綴じ具保持体７の前記切欠き７１は、綴じ具６の円板体６ａ及び鍔部６ｂに適合する略Ｔ型形状を備えている。
【００２６】
また、シート４の基部側には、綴じ具６の円板体６ａ及び鍔部６ｂに適合する略Ｔ型形状の切欠き４１，４１を形成している。尚、本例のシートは透明プラスチック製の袋状のシートで、適宜の紙を内部に挿入することができるように構成されている。
【００２７】
このように、本例のファイルＦにおいては、シート４は輪型の綴じ具６に保持され、また、輪型の綴じ具６は、背表紙３とは別の綴じ具保持体７に保持され、そして、綴じ具保持体７は、背表紙３の内面側において固着されている。
【００２８】
尚、綴じ具保持体７の背表紙３への固着は、接着、溶着、リベット或はビス止め等、用いられる材料に応じて適宜の態様で実施されるとよい。
【００２９】
本例のファイルＦは、表側及び裏側の表紙１，２並びにこれらの表紙の間に位置する背表紙３を備え、背表紙３の内面側には、複数のシート４，４を保持するホルダ５を有し、そして、ホルダ５は、シート４，４を保持する輪型の綴じ具６と、綴じ具６を着脱可能に保持するとともに背表紙３の内面側に固着される綴じ具保持体７とを備え、更に綴じ具保持体７は、中央に突出部７ａを、左右側部には固着面部７ｂ，７ｂを、それぞれ備え、前記突出部７ａには、綴じ具６を着脱可能に保持するための複数の切欠き７１，７１が形成されているファイルでる。従って、輪型の綴じ具６は、背表紙３の内側に位置することとなるので、ファイルの背表紙の外側にホルダの一部が露出するようなことはない。
【００３０】
このような本例のファイルによれば、シートの着脱が容易にできて使い勝手がよく、簡易にして安価な構造のファイルが得られるとともに、背表紙の外側に綴じ具が露出しないので、ファイルの背表紙にタイトルシールを付着することが困難な事態が回避され、また、タイトルを背表紙に記載しようとすると綴じ具が邪魔になるといった不都合も回避することができる。
【００３１】
本例では、前記綴じ具保持体７は１ｍｍ厚程度のポリプロピレン製で可撓性を有し、前記背表紙３の横幅Ｗよりも大きい横幅Ｔを備えた長方形の板材７Ａを用いて形成される（図３参照）。この長方形の板材７Ａのときに、綴じ具６を着脱可能に保持するための複数の切欠き７１，７１が形成される。尚、符号７ａは爾後において突出部となる箇所、符号７ｂは固着面部となる箇所、を示している。
【００３２】
前記板材７Ａは、プレス成形によって図４に示すような山高形状に形成される。すなわち、綴じ具保持体７は、その中央部が突出するように折曲げて形成され、前記中央の突出部７ａが断面山形を呈して、当該綴じ具保持体の横幅ｔが、前記背表紙３の横幅Ｗ以下に形成される（図２参照）。
【００３３】
このような本例の構成によると、綴じ具保持体は、基本的には長方形の板材を用いて形成されるので、綴じ具保持体を別途用いても、ファイルを簡易且つ安価に形成することができる。
【００３４】
また、本例の綴じ具保持体７は、中央の突出部７ａの先端に複数の切欠き７１，７１が形成されていて、この切欠き７１，７１には輪型の綴じ具６，６が係合する（図５参照）。
【００３５】
このように、本例の綴じ具保持体は、輪型の綴じ具を保持する切欠きが、突出部の先端に形成されているので、綴じ具保持体による輪型の綴じ具の保持が突出部の先端で行われることとなって、両者の係合関係が合理的なものとなり、綴じ具保持体に対する綴じ具の着脱が容易になされ得るものとなる。
【００３６】
上述した本例のファイルＦにおいて、図６に示すシート４，４並びにホルダ５（すなわち綴じ具６，６と綴じ具保持体７）は、まず、綴じ具保持体７が背表紙３に固着され（図７参照）、次いで、綴じ具６，６が綴じ具保持体７に係止され（図８参照）、最後にシート４，４が綴じ具６，６に保持される（図１参照）。綴じ具保持体７は、本例の場合、可撓性を有しているので、綴じ具６，６を装着する際、綴じ具保持体７を若干、撓らせると、極めて容易に綴じ具６，６を綴じ具保持体７に係止させることができる。
【００３７】
図９及び図１０は本発明の他の具体例を示すもので、前例において綴じ具保持体７が背表紙３に固着されているのに対し、この例では、綴じ具保持体７が背表紙３に着脱可能に装着されるものである。
【００３８】
すなわち、この例の場合は、綴じ具保持体７が着脱可能に装着される支持部材８を設けて、この支持部材８を背表紙３に固着するものである。支持部材８は、左右の側部にガイド８１，８１を形成し、適所に形成した孔８２，８２に図示を省略したビス等を挿通して、支持部材８を背表紙３に固着する。綴じ具保持体７は、前例のものと同様の構成を備え、左右側部の固着面部７ｂ，７ｂを前記ガイド８１，８１に挿入して、当該綴じ具保持体７を支持部材８に着脱可能に装着するものである。この場合、固着面部７ｂ，７ｂを、前記ガイド８１，８１に挿入した後、ガイド８１を圧着等によりカシメて固着するようにしてもよい。
【００３９】
【発明の効果】
以上説明したように、本発明に係るファイルは、表側及び裏側の表紙並びにこれらの表紙の間に位置する背表紙を備え、前記背表紙の内面側には、複数のシートを保持するホルダを有するファイルにおいて、前記ホルダは、前記シートを保持する輪型の綴じ具と、前記綴じ具を着脱可能に保持するとともに前記背表紙の内面側に固着される綴じ具保持体とを備え、前記綴じ具保持体は、中央に突出部を、左右側部には固着面部を、それぞれ備え、前記突出部には、前記綴じ具を着脱可能に保持するための複数の切欠きが形成されているファイルである。
【００４０】
このような構成によると、輪型の綴じ具は、背表紙の内側に位置することとなるので、ファイルの背表紙の外側にホルダの一部が露出するようなことはない。
【００４１】
従って、本発明のファイルによれば、シートの着脱が容易にできて使い勝手がよく、簡易にして安価な構造のファイルが得られるとともに、背表紙の外側に綴じ具が露出しないので、ファイルの背表紙にタイトルシールを付着することが困難な事態が回避され、また、タイトルを背表紙に記載しようとすると綴じ具が邪魔になるといった不都合も回避することができる。
【図面の簡単な説明】
【図１】本発明の具体例に係り、ファイルを示す斜視図である。
【図２】本発明の具体例に係り、ファイルのホルダ部分を示す斜視図である。
【図３】本発明の具体例に係り、綴じ具保持体を形成する板材を示す図である。
【図４】本発明の具体例に係り、綴じ具保持体を示す斜視図である。
【図５】本発明の具体例に係り、綴じ具保持体を背表紙に取付けた状態を示す斜視図である。
【図６】本発明の具体例に係り、ファイルの全体構成を示す斜視図である。
【図７】本発明の具体例に係り、ファイルの全体構成を示す斜視図である。
【図８】本発明の具体例に係り、ファイルの全体構成を示す斜視図である。
【図９】本発明の他の具体例に係り、綴じ具保持体を支持部材で保持する構造のファイルを示す斜視図である。
【図１０】本発明の他の具体例に係り、綴じ具保持体を保持する支持部材を示す斜視図である。
【図１１】従来例に係り、ファイルを開いた状態を示す斜視図である。
【図１２】従来例に係り、ファイルを閉じた状態を示す斜視図である。
【符号の説明】
Ｆ　　　　ファイル
１　　　　表側の表紙
２　　　　裏側の表紙
３　　　　背表紙
４　　　　シート
４１　　　　切欠き
５　　　　ホルダ
６　　　　綴じ具
６ａ　　　　円板体
６ｂ　　　　鍔部
７　　　　綴じ具保持体
７Ａ　　　　板材
７ａ　　　　突出部
７ｂ　　　　固着面部
７１　　　　切欠き
８　　　　支持部材
８１　　　　ガイド
８２　　　　孔
Ｔ　　　　板材の横幅
ｔ　　　　綴じ具保持体の横幅
Ｗ　　　　背表紙の横幅
５０　　　　ファイル
５１　　　　表側の表紙
５２　　　　裏側の表紙
５３　　　　背表紙
５３ａ　　　　切欠き
５４　　　　ホルダ
５５　　　　綴じ具
５６　　　　シート
【図１】
2004042582.tif 000003
【図２】
2004042582.tif 000004
【図３】
2004042582.tif 000005
【図４】
2004042582.tif 000006
【図５】
2004042582.tif 000007
【図６】
2004042582.tif 000008
【図７】
2004042582.tif 000009
【図８】
2004042582.tif 000010
【図９】
2004042582.tif 000011
【図１０】
2004042582.tif 000012
【図１１】
2004042582.tif 000013
【図１２】
2004042582.tif 000014